(57)【特許請求の範囲】
【請求項１】
複数桁の番号、文字を暗証番号として入力し、これが予め定めたものと一致するか否かを判断して所要の処理を行なう際の暗証番号確認方法において、
縦・横に複数の枡目を配置したマトリクス記入欄を表示し、予め定めたとおりに、前記マトリクス記入欄中の何れか一つの枡を選んで対応する暗証番号を入力する手順で、表示する枡目が暗証番号の桁数より多いものであって、暗証番号が空白枡を挟んで入力されるものであり、前記暗証番号を順次入力すると共に、暗証番号確認に際しては、入力された暗証番号とマトリクス上の枡目の位置とが予め設定されたとおりであるか否かを確認するようにしたことを特徴とする暗証番号確認方法。
【請求項２】
複数桁の番号、文字を暗証番号として入力し、これが予め定めたものと一致するか否かを判断して所要の処理を行なう際の暗証番号確認方法において、
縦・横に複数の枡目を配置したマトリクス記入欄を表示し、予め定めたとおりに、前記マトリクス記入欄中の何れか一つの枡を選んで対応する暗証番号を入力する手順で、表示する枡目が暗証番号の桁数より多いものであって、暗証番号が空白枡を挟んで入力されるものであり、前記暗証番号を順次入力すると共に、暗証番号確認に際しては、入力された暗証番号とマトリクス上の枡目の位置及び入力された升目の順序とが予め設定されたとおりであるか否かを確認するようにしたことを特徴とする暗証番号確認方法。
【請求項３】
前記枡目の一つに複数桁の番号を入力可能であることを特徴とする請求項１又は請求項２に記載の暗証番号確認方法。
【請求項４】
利用者により入力される複数桁の文字からなる暗証番号が、予め定めたものと一致するか否かを判断して所要の処理を行なう際の暗証番号確認装置において、
縦・横に複数の枡目を配置したマトリクス状記入欄を表示する表示手段と、
前記マトリクス記入欄中の何れか一つの枡を選んで対応する暗証番号を入力する手順で、表示する枡目が暗証番号の桁数より多いものであって、暗証番号が空白枡を挟んで入力する入力手段と、
入力される暗証番号の文字とこれが入力された枡目の位置と入力された順序とを記憶する記憶手段と、
入力された暗証番号の文字と枡目の位置と入力順序とが予め定められたものと一致するか否かを比較する比較手段と、
一致したときのみに正しい暗証番号であると判定する判定手段とを備えたことを特徴とする暗証番号確認装置。
【請求項５】
前記枡目の一つに複数桁の番号を入力可能であることを特徴とする請求項４に記載の暗証番号確認装置。
【発明の詳細な説明】
【０００１】
【発明の属する技術分野】
本発明は、暗証番号確認方法に関し、特に、利用者が覚えておくべき暗証番号の桁数を多くすることなく、他人に解読される確率を低くする方法に関する。
【０００２】
【従来の技術】
近年、銀行取引等の自動化や無人化、或いはネットワーク化が進み、利用者と機械装置とがインタフェースをとる機会が多くなっている。
例えば、ＡＴＭ（自動現金引き出し・預け入れ装置）を用いて預金者（利用者）が現金を引き出す場合に、暗証番号による本人の確認を行っている。
一般的には、キャッシュカード等のカード類を使用しつつ、該カード類に記録された利用者情報に対応する４桁の数字からなる暗証番号を、予め利用者が定めてサービス提供側のデータベースに登録しておき、その数字を入力することにより本人であることを確認している。
このような暗証番号による本人確認の認証方法はネットワーク通信において、ログイン時のパスワードの入力としても普及しており、将来、電子マネー時代が来ると更に暗証番号やパスワードによるセキュリティ対策が普及して行くものと考えられる。
【０００３】
図７は従来の暗証番号確認方法を実現するための暗証番号入力用インタフェースの構成例を示す概要図であり、例えばＡＴＭ等のパネル面上に設けられたディスプレイ１と、入力用スイッチボタンが並んでいる入力キー２を備えている。
前記ディスプレイ１に表示される入力画面は、４桁の数字入力枠３が横一列に並んでおり、前記入力キー２は、０〜９の数字と、図示を省略した通貨単位ボタンや、カーソル移動用の矢印ボタン等、必要に応じたスイッチボタンが設けられている。
なお、タッチパネル方式のディスプレイ１を備えたＡＴＭ等の装置にあっては、入力キー２の機能部分も入力画面内に設けるのが一般的である。
【０００４】
この図に示すインタフェースは以下のように機能して暗証番号確認方法を実現している。即ち、暗証番号の入力にあっては、利用者は登録済みの暗証番号を入力キー２を用いて４桁の数字入力枠３の左から順に入力して行く。
ＡＴＭ等の装置は、暗証番号が入力されると、該利用者の口座番号等（利用者情報）に対応する暗証番号を暗証番号データベースから読み出し、登録された暗証番号と入力された暗証番号とを比較して、一致した場合に本人であると認証して次段の処理に移行する。
【０００５】
このような従来の暗証番号確認方法にあっては、利用者は予め登録した４桁の数字さえ覚えておけばよく、忘れにくい数字を選ぶことが多い。但し、オール１や、１２３４のような連番等は単純すぎるためにサービス提供側（銀行等）からも避けるように注意を促していることもある。
したがって、一般的には利用者自身の身辺に関係する何らかの因果関係を持った忘れにくい数字の組み合わせが選ばれている。
例えば、何らかの記念日の年月日に関連付けたものや、何かの名称の語呂合わせに関連付けたもの、或いは電話番号等の数字の組み合わせを選択することが予想される。
【０００６】
【発明が解決しようとする課題】
しかしながら、上述した従来の暗証番号確認方法においては、以下に示すような問題点があった。つまり、利用者がキャッシュカード等を盗難・紛失し、そのカードが悪意の第三者の手に渡った場合、該悪意の第三者は所有者（利用者）の個人情報を収集して、上述の如く暗証番号を予測し得る。更には、予め４桁の数字を盗み知る場合にあっては、もはや詐欺取財から防御することができなかった。
【０００７】
本発明はこのような問題点を解決するためになされたものであり、利用者が暗証番号として覚えておく数字の桁数を増やすこと無く、本人認証の強度（安全性）を高くする暗証番号確認方法を提供することを目的とし、暗証番号である数字自体が第三者に判明したとしても即座に暗証番号の解読に至らないように、装置側で複数の入力パターンを用意し、幾通りかの入力手順のうち、本人のみぞ知るパターンで入力した場合にのみ認証に至る暗証番号の確認方法を提案する。
【０００８】
【課題を解決するための手段】
上記課題を解決するために、本発明では次のような手段を用いる。
【００１１】
（１）本発明に係わる暗証番号確認方法は、複数桁の番号、文字を暗証番号として入力し、これが予め定めたものと一致するか否かを判断して所要の処理を行なう際の暗証番号確認方法において、
縦・横に複数の枡目を配置したマトリクス記入欄を表示し、予め定めたとおりに、前記マトリクス記入欄中の何れか一つの枡を選んで対応する暗証番号を入力する手順で、表示する枡目が暗証番号の桁数より多いものであって、暗証番号が空白枡を挟んで入力されるものであり、前記暗証番号を順次入力すると共に、暗証番号確認に際しては、入力された暗証番号とマトリクス上の枡目の位置とが予め設定されたとおりであるか否かを確認するようにしたことを特徴とする。
【００１２】
（２）本発明に係わる暗証番号確認方法は、複数桁の番号、文字を暗証番号として入力し、これが予め定めたものと一致するか否かを判断して所要の処理を行なう際の暗証番号確認方法において、
縦・横に複数の枡目を配置したマトリクス記入欄を表示し、予め定めたとおりに、前記マトリクス記入欄中の何れか一つの枡を選んで対応する暗証番号を入力する手順で、表示する枡目が暗証番号の桁数より多いものであって、暗証番号が空白枡を挟んで入力されるものであり、前記暗証番号を順次入力すると共に、暗証番号確認に際しては、入力された暗証番号とマトリクス上の枡目の位置及び入力された枡目の順序とが予め設定されたとおりであるか否かを確認するようにしたことを特徴とする。
（３）(１)又は(２)の方法において、
前記枡目の一つに複数桁の番号を入力可能であることを特徴とする。
【００１３】
（４）本発明に係わる暗証番号確認装置は、利用者により入力される複数桁の文字からなる暗証番号が、予め定めたものと一致するか否かを判断して所要の処理を行なう際の暗証番号確認装置において、
縦・横に複数の枡目を配置したマトリクス記入欄を表示する表示手段と、
前記マトリクス記入欄中の何れか一つの枡を選んで対応する暗証番号を入力する手順で、表示する枡目が暗証番号の桁数より多いものであって、暗証番号が空白枡を挟んで入力する入力手段と、
入力される暗証番号の文字とこれが入力された枡目の位置と入力された順序とを記憶する記憶手段と、
入力された暗証番号の文字と枡目の位置と入力順序とが予め定められたものと一致するか否かを比較する比較手段と、
一致したときのみに正しい暗証番号であると判定する判定手段とを備えたことを特徴とする。
（５）(４)の装置において、
前記枡目の一つに複数桁の番号を入力可能であることを特徴とする。
【００１５】
【発明の実施の形態】
以下、図示した実施の形態例に基づいて本発明を詳細に説明する。
図１は本発明に係わる暗証番号確認方法を実現するための暗証番号入力用インタフェースの実施の形態例を示す概略構成図であって、使用するＡＴＭ等の装置に、２行２列の枡目状の入力枠３を表示するディスプレイ１と、０〜９の数字とカーソル（アクティブな枡目）移動用の矢印ボタンを有する入力キー２とを備えたものである。
【００１６】
この図に示す装置は以下のように機能して暗証番号確認方法を実現する。例えば、説明の簡略化のため二桁の暗証番号「９９」を決定したとする。
まず、この暗証番号を登録する際には、図に示される２×２の枡目状の入力枠に利用者が定めた暗証番号を入力する。
この場合、二桁の１０進数の数字を４個の枡目に一字ずつ入れる組み合わせは、
4Ｃ2×１００＝６００
となり、１０進数２桁の組み合わせは００〜９９までの１００通りであるが、上述の枡目に二つの数字を入力するパターンを考慮することで６００通りの様式が可能となる。
【００１７】
図２を用いて番号入力の方法を詳細に説明する。
図２は同一の暗証番号「９９」を異なる順序で同じ枡目に入力したときの二通りの入力手順を示す図である。
図２の（Ａ）は、最初に座標（ａ，ｃ）の枡目に９を入力し、次に座標（ａ，ｄ）の枡目に９を入力している。
図２の（Ｂ）は、最初に座標（ａ，ｄ）の枡目に９を入力し、次に座標（ａ，ｃ）の枡目に９を入力している。
このように、同じ暗証番号の二桁数字「９９」を入力する場合であっても、枡目に入力する順序も暗証番号の判定要件とすることにより、前記図２の手順（Ａ）と手順（Ｂ）とでは結果的に見れば同じであるが、番号を入力した順序が異なるために暗証番号の不一致とみなす。
したがって、二桁の番号が既知となっても順列を考慮すれば１２通りの入力方法があり、解読率を１／１２に下げることができる。
【００１８】
図３は本発明の他の実施例を説明する図であって、縦・横に複数の枡目からなる入力枠に４桁の暗証番号「１２３４」を入力された番号の数字と、その位置によって暗証番号を判定する場合を示すものである。（この例では暗証番号の入力順序は考慮しないものとする。）
図３（Ａ）は、入力枠が４×４の枡目であって、利用者が行方向（右矢印方向）に暗証番号を並べて登録入力した場合の図であり、図３（Ｂ）は、入力枠が４×５の枡目であって、利用者が列方向（下矢印方向）に暗証番号を並べて登録入力した場合の図である。同じ４桁の番号であっても前者の場合１８２００００通り、後者の場合４８４５００００通りの入力方法があり格段に解読率を下げることができる。
つまり、ＡＴＭ等の装置が表示する入力枠の行や列の段数が多いほど暗号強度（安全性）が高くなる。
【００１９】
また、図４は更に他の実施例を説明する図であって、縦・横に複数の枡目からなる入力枠に４桁の暗証番号「１２３４」を、入力順序も含めて識別するものである。つまり、入力された番号の数字と、その位置と、入力された順番とによって暗証番号を判定する場合である。
図４（Ａ）は、入力枠が４×４の枡目であって、図左側のように登録された暗証番号は左から列毎に読めば「▲１▼▲２▼▲３▼▲４▼」であるが、登録時の入力順序としては「▲２▼→▲３▼→▲１▼→▲４▼」の順であり、図右側の入力された暗証番号「▲１▼→▲２▼→▲３▼→▲４▼」とは番号数字と入力位置は一致するが入力順序が異なるために不一致と判定される。
図４（Ｂ）は、入力枠が５×４の枡目であり、上述した（Ａ）と同様に入力された順序が異なるために不一致と判定される。このように入力順序を考慮すると同じ４桁の番号であっても前者の場合４３６８０００００通り、後者の場合１０６２８０００００通りの入力方法があり格段に解読率を下げることができる。
【００２０】
また、利用者に高齢者もいることを踏まえると、図３及び図４に示した例は複雑であり、４桁の数字は覚えていることができるとしても複雑なパターンを覚えておくことは困難であろう。
【００２１】
したがって、多くの利用者は図５に示す如く、縦、横または斜めに一並べに登録設定して利用することが考えられる。この組み合わせだけでも２０通りとなり、たとえ４桁の番号が第３者に知られたとしても解読率を低下させることができる。
図５に示す例は、入力画面に表示される４×４の枡目状の入力枠３（行列枠）と、前記入力枠３に数字を入力するための０〜９の数字ボタンと枡目を選択するための矢印ボタンとを備えている。
【００２２】
この図に示す暗証番号確認方法は以下のように機能する。即ち、利用者は暗証番号として４桁の数字を選定し、予めサービス提供者側に登録しておく。この番号登録の手順について具体的に例を示す。例えば、ＡＴＭ等の端末機器により、利用者が暗証番号を登録する場合にあっては、口座番号等の利用者情報が記録された当該キャッシュカードと、契約証明用の契約者カード等をＡＴＭに挿入して、暗証番号登録のメニューを開く。
利用者は、例えば自分の子供の誕生日（１９９９年３月５日）と関連させて「９９３５」を暗証番号に決めたとする。
ＡＴＭの画面には図５に示す如く４×４の枡目状の入力枠３が設けてあり、該利用者は入力枠３の左上から右下へ、斜め一並びに「▲９▼→▲９▼→▲３▼→▲５▼」と入力して、暗証番号の登録を行ったところである。この入力された暗証番号の数字、入力枠上の位置、及び、入力順序がサービス提供側の暗証番号データベースに暗証番号として登録される。
それ以後、該利用者がＡＴＭを使用して現金の出し入れを行う際には、従来と同様にキャッシュカードをＡＴＭに挿入し、登録した暗証番号を入力して本人確認を行う。このとき入力する暗証番号が登録したものと、同じ数字、同じ位置、同じ順序で入力されたならば一致と判定され、ＡＴＭは利用者が本人であると認証して次段の処理に移行し、現金の出し入れがなされる。
【００２３】
また更に別の実施例として、入力枠の一つの枡目に複数桁の番号を入力する形態に適応することも可能であり、この場合について図６を用いて説明する。
図６は４桁の暗証番号ａ，ｂ，ｃ，ｄを定め、これを１×２の枡目状の入力枠に入力する際を示した図である。ここでは一方の枡目を（ｘ）、もう一方を（ｙ）として示す。
即ち、入力枠の一つの枡目が複数段の入力階層を有している場合である。
図６（Ａ）は枡目ｘに暗証番号のａとｂを順次入力し、その後、他方の枡目ｙにｃとｄを順次入力して暗証番号確認を行う場合を示したものである。
図６（Ｂ）は枡目ｘに暗証番号のａを入力した後、枡目ｙにｂを入力し、次に再び枡目ｘに暗証番号のｃを入力し、最後に枡目ｙにｄを入力して暗証番号確認を行う場合を示したものである。
図６（Ｃ）は一方の枡目ｘに暗証番号のａとｂとｃを順次入力し、その後、他方の枡目ｙにｄを入力して暗証番号確認を行う場合を示したものである。
これらの如く、入力枠に表示する枡目の数が暗証番号の桁数よりも少ない場合であっても、入力された暗証番号の文字と枡目の位置と入力順序とを判定要件とすることにより入力パターンの多様化が可能となり、以って解読率を低下させることができる。
【００２４】
以上説明した本発明の実施の形態例においては、ＡＴＭ等の装置を用いた自動銀行取引形態という例を示したが、本発明の実施にあってはこの例に限らず、例えば、インターネット等のネットワークを介して電子マネー取引をする際のパスワード確認時の入力枠を、縦・横に複数の枡目を表示して、数字／文字、入力位置、入力順序を判定要件とするように構成しても良い。これによれば、パスワードに用いる数字や文字の桁数を増やすことなく、パスワードの暗証強度を強くすることができ、安全性を向上することができる。
また、暗証番号入力の際に、入力状況に対応して入力枠の個々の枡目を段階的に色分け表示すれば、利用者は自己の入力履歴を把握することができるので暗証番号の入力ミスを避けるのに有効であろう。例えば一つの枡目において２桁の入力階層を有している場合に、未入力時には白抜きの枡とし、該枡目が選択されアクティブになると枠を強調するか或いは白／黒反転点滅し、利用者により番号（１桁目）が入力されると淡い青色に変化し、更に番号（２桁目）が入力されると濃い青色に変化するようにしてもよい。
【００２５】
以上のように、本発明に係わる暗証番号確認方法は、覚えておくべき暗証番号の数字桁数を増やすことなく、第３者に解読される確率を低くすることができる。
【００２６】
【発明の効果】
以上のように本発明に係わる暗証番号確認方法は、縦横に複数の枡目状の入力枠を設け、該入力枠内に複数の入力パターンの自由度を与え、利用者が入力した暗証番号の数字・文字自体と、入力した位置（座標）と、入力した順序とを暗証番号の判定要件とするので、利用者が覚えておくべき暗証番号の数字桁数を増やすことなく、暗証強度を強化した暗証番号確認方法が実現できる。
【図面の簡単な説明】
【図１】本発明に係る暗証番号確認方法の一実施例を示す機能概要図。
【図２】本発明に係る暗証番号入力の手順例を簡略化して示す図。
【図３】本発明に係る暗証番号の入力順序を考慮しないときの手順例。
【図４】本発明に係る暗証番号の入力順序を考慮したときの手順例。
【図５】本発明に係る暗証番号確認方法の他の実施例を示す概要図。
【図６】本発明に係る枡目数＜暗証番号桁数のときの手順例。
【図７】従来の暗証番号確認方法の例を示す機能概要図。
【符号の説明】
１・・・ディスプレイ
２・・・入力キー
３・・・入力枠
【図１】
0004251715.tif 000002
【図２】
0004251715.tif 000003
【図３】
0004251715.tif 000004
【図４】
0004251715.tif 000005
【図５】
0004251715.tif 000006
【図６】
0004251715.tif 000007
【図７】
0004251715.tif 000008